(57)【要約】【課題】  ＵＭＤなどの複数枚を、安全、且つおしゃれに携帯することができ、また、収納や取り出しが簡単な面型メディアの収納ケースを提供。【解決手段】  内ケース２と外ケース３とからなり、内ケース２にＵＭＤ４（面型メディア）を納める。外ケース３の支持軸１７に複数枚の内ケース２を回動可能に取り付ける。収納ケース１はケース本体１０と蓋体１１とからなり、蓋体１１は前記の支持軸１７を中心に回動して開閉する。開き位置の蓋体１１は、回動して外ケース３の外側に取り出した内ケース２を受け止める。閉じ位置の蓋体１１は溝形に形成され、両側及び前方の規制部１９がケース本体１０の上部に重合して収納ケース１による収納状態を安定にする。【選択図】          図１
2007022575.tif 000002
【特許請求の範囲】
【請求項１】
内ケースとこれを収容する外ケースとからなり、内ケースは、面型メディアの縦横寸法に対応した縦横寸法と、面型メディアの厚さに対応した厚み寸法を有すると共に面型メディアを挿入し取り出すための挿入口と外ケースへ回動可能に取り付けるための軸支孔を備え、外ケースは、内ケースの縦横寸法に対応した縦横寸法と複数枚の内ケースを収容できる厚さ寸法を備えると共に厚み方向にケース内部を横断する支持軸を有し、外ケースに複数枚の内ケースをこれらの軸支孔に支持軸を貫通させて回動可能に取り付けてあり、内ケースを回動によって外ケースの外へ配置することができることを特徴とした面型メディアの収納ケース。
【請求項２】
内ケースの軸支孔と外ケースの支持軸はいずれも縦横辺が交叉する角部の一方の隅に相互に対応させて配置してあることを特徴とした請求項１に記載の面型メディアの収納ケース。
【請求項３】
外ケースは、ケース本体と蓋体とからなり、蓋体は内ケースと共通の支持軸を中心に回動してケース本体の開放された一辺側を閉じると共に、開いたとき、内ケースをケース本体の外側に留めることができる受け止め部材となることを特徴とした請求項２に記載の面型メディアの収納ケース。
【請求項４】
内ケースの軸支孔と外ケースの支持軸はいずれも縦横辺の内一方の辺の中央部でその辺縁に近く、相互に対応させて配置してあることを特徴とした請求項１に記載の面型メディアの収納ケース。
【発明の詳細な説明】
【技術分野】
【０００１】
この発明は、ＣＤ、ＭＯ、ＭＤ、ＤＶＤ、ＵＭＤ或いはＦＤなど、厚さ寸法に比べて面積の方が大きく、全体として薄く平らな形態のメディア（面型メディアと呼ぶ）の収納ケースに関する。面型メディアには、ＣＤのように使用時にそれ自体のケースをもたないものとケースに収められたまま使用されるものとがあるが、双方を対象とする。
【背景技術】
【０００２】
デジタルエンターテイメントの分野では、音楽やゲームを納めた前記の面型メディアが多く発売されており、愛好者のなかには複数の面型メディアを携帯し、出先で使用することがある。このとき面型メディアは薄く、且つ、小型のものが多いので、かばんやポケットに入れて携帯すると滑り出して紛失してしまう危険がある。さらに、ばらばらでは体裁が悪いし、音楽ならば音楽のものでまとめ、ゲームソフトであればゲームソフトでまとめておきたい。
従来、面型メディアの保管、携帯用の収納ケースは、ブック型（特許文献１）、引出し型（特許文献２）トレー型（特許文献３，４）などであるが、いずれもＣＤ等の面型メディアを搬送や携帯中の破損から護るとの観点から構成されており、ケースは複雑な構造に成形され、剛体に構成されているものが多い。蛇腹型の簡易なもの（特許文献５）もあるが、あまりにも簡単で、一時の保管や屋内での携帯・搬送にしか向かない。
【０００３】
【特許文献１】特開２００４−８３０５３号公報
【特許文献２】特開２００１−２１９９８５号公報
【特許文献３】特開平１１−１８９２８５号公報
【特許文献４】特開平８−１６１８４６号公報
【特許文献５】特開２００３−３１２７６９号公報
【発明の開示】
【発明が解決しようとする課題】
【０００４】
デジタル記録された音楽やゲームを納めたＣＤ、ＭＤ、或いは動画のゲームソフトを納めたＵＭＤなどの複数枚を、安全、且つおしゃれに携帯することができ、また、収納や取り出しが簡単な面型メディアの収納ケースを提供する。
【課題を解決するための手段】
【０００５】
内ケースと外ケースで構成し、外ケースに設けた一本の支持軸を中心に回動できるように内ケースを外ケースに収納する。面型メディアは内ケースに挿し込んで収納し、また、取り出し可能とする。外ケースの支持軸は、ケースの縦横辺が交叉する角部の一方の隅や縦辺或いは横辺の中央部など、ケースの縦・横辺の辺縁部にあり、内ケースにはこれと対応する位置に軸支孔が形成されている。内ケースは前記の支持軸を中心に回動して、外ケースの外部に配置することができる。
【発明の効果】
【０００６】
面型メディアは、内ケースに納められ、さらに、外ケースに収められる構造なので、面型メディアの損傷が防止される。
一本の支持軸を中心とした回動により内ケースを外ケースの外部に配置できるので、内ケースを取り出しやすく、また、内ケースが外ケースの外部に配置されるので面型メディアを簡単に取り出せる。
内ケースは、外ケースに設けた一本の支持軸で外ケースに納められるので構造が簡単であり、回動により内ケースが外ケースへ滑らかに収まる。
【発明を実施するための最良の形態】
【０００７】
図１は、第１の実施例としての収納ケース１を示し、内ケース２と外ケース３とからなる。この図は、収納ケース１を使用時の横倒し状態で示しており、また、内ケース２には、すでにＵＭＤ４（Universal Media Disk  （株）ソニー・コンピューターエンターテイメント）が収納されている（破線）。ＵＭＤ４は、面型メディアの一つである。
内ケース２は、半硬質のナイロン製であり、図２のように、基板５と保持板６とからなり、縦横の辺が交差する角部の一方の隅（図２では左下隅部）に軸支孔７が形成されている。保持板６は、正面視で略Ｕ字形に凹部が形成されており、基板５の面との間に間隔をとって収納部８を構成している。
【０００８】
Ｕ字形をした収納部８の上辺が開口されて挿し込み口９となっており、また、中央部は内ケース２からＵＭＤ４を取り出すとき、指をかけて簡単に取り出せるように、円形に切り抜いてある。保持板６は収納されたＵＭＤ４が滑り出さないように、素材が持つ可撓性を利用して弾力でＵＭＤ４の表面を押える構造とする。なお、収納部８の下辺が丸く形成されているのは、ＵＭＤ４の形態（図３）に合わせたものである。ＵＭＤ４は、図３，４のように、挿し込み口９から内ケース２に挿し込んで収納する。
内ケース２の縦横の寸法は、ＵＭＤ４（図３）の縦横寸法に対応させ、収納部８の厚さ寸法、すなわち、内ケース２の厚さ寸法は、ＵＭＤ４の厚さ寸法に対応させてある。
【０００９】
外ケース３は、ケース本体１０と蓋体１１とからなり（図１，図５）、この実施例においていずれも革製である。ケース本体１０は図５のように、正面部１２、背面部１３、底面部１４及び右側面部１５を縫い合わせて形成してあり、正面部１２、背面部１３における右の縦辺と上辺が交差する角の隅部１６（蓋体１１のある側を上方としている）に支持軸１７を貫通して取り付ける。ケース本体１０の上面と左側面は開放されている。支持軸１７は両端を固定部とし、中央部をスペーサーとした一種のはとめである。なお、支持軸１７は、複数枚の内ケース２をこの軸に嵌挿してからケース本体１０に固定する。
【００１０】
蓋体１１（図６）は、ケース本体１０の上方開口部を覆う覆い部１８とその前後両側及び前方に規制部１９を備えた溝形であり、左側を先端部、右側を基部として、基部が前記の支持軸１７へケース本体１０の外側で回動可能に軸支されている。前記の覆い部１８は先端から基部側の位置決め辺２０まで形成され、基部では両側の規制部１９が、位置決め辺２０よりも突出した構造となって支持軸１７に取り付けられる。
【００１１】
蓋体１１は支持軸１７を中心に回動することにより（図７）、ケース本体１０の上面を開閉できる。そして、閉じた状態では、両側と先端の規制部１９がケース本体１０の正面部１２の上辺と背面部１３の上辺部に重合してケース本体１０の形態が整えられ、安定した収納状態となる。また、蓋体１１を開くと、図７のように、蓋体１１の覆い部１８と両側及び前方の規制部１９が形成する溝が上方に開放された状態（約１５０°程度）とされる。蓋体１１が開く角度αは、前記の位置決め辺２０がケース本体１０の右側面部１５と衝突して規制されることにより定まる。
【００１２】
以上のように、収納ケース１は、ケース本体１０の内部に複数の内ケース２を支持軸１７を中心に回動可能に取り付け、その支持軸１７を兼用して蓋体１１が回動可能に取り付けられた構造である。利用者は、内ケース２にＵＭＤ４（面型メディア）を挿入して収納し、蓋体１１を閉じて携帯する。収納したＵＭＤ４を利用するときは、収納ケース１の全体を支持軸１７の側を下にして横倒しにした格好で、蓋体１１を開け、目的の内ケース２を回動させて引き出し、ＵＭＤ４を取り出す。このとき、内ケース２の周縁部はケース本体１０の開かれた左側面と上面を通過してケース本体１０の外側に配置される。そして、開かれた蓋体１１は溝を上方として一定の角度で止まっているので、引き出されたＵＭＤ４を蓋体１１に留めることができる（図１）。
【００１３】
すなわち、蓋体１１は内ケース２の受け部材として機能し、複数の内ケース２を引き出してその中から目的のものを選ぶ作業のときに便利に利用することができる。そして、蓋体１１を閉じれば、全体として小形であるから携帯に便利である。さらに、複数枚の内ケース２を有するから、内容的に同種のものを集めるなど面型メディアの整理に用いることもできる。
ＵＭＤ用として実施例を説明したが、ＣＤその他の面型メディアの収納ケースとして適用することができる。また、収納ケースを革製としたが、全体をナイロン等半硬質の合成樹脂性としても良い。さらには、支持軸１７を含め、全体を硬質の合成樹脂で作ることもできる。
【００１４】
図８，９は第２の実施例であり、取り出し時の横倒しにした状態を概略で示している。第２の実施例は、第１の実施例に対して、支持軸１７の位置を上辺の中央部でその辺縁に配置したこと、底面部１４を有しないこと及び蓋体１１を有しないことを特徴としている。第１の実施例の場合と同じ機能の部分には同じ符合を用いて説明を省略する。
この実施例では、ケース本体１０に軸を設けて蓋体１１を回動により開閉する構造にすると、軸が複数となったり、ケース本体１０の内部を横断して新しい軸が配置され、この軸が邪魔になって内ケース２を回動できない事態などが生じて困難が多いので、正面部１２、背面部１３の左辺に両部を連結できる止めバンド２１を設けてある。止めバンド２１はホック２２などで止めることにより、収納時に不安定となる正面部１２、背面部１３の左辺を連結し、収納状態を安定に維持する。
【００１５】
この実施例２では、ケース本体１０を、一枚の長方形部材から正面部１２、背面部１３及び右側面部１５を同じ方向に一列に成形すれば良いだけなので製造が簡単で素材も少なくでき、収納ケース1を安価に提供することができる。
ケース本体１０に収納された内ケース２は、支持軸１７を中心に回動し、ケース本体１０の下面、左側面および上面を通過してケース本体１０の外側（上方）に配置される。
図１０は第３の実施例であり、外ケース３の背面部１３の内面にスマートメディアタイプのフラッシュメモリカード２３をあわせて収納できるようにしたものであり、利便性を高くしている。
【図面の簡単な説明】
【００１６】
【図１】収納ケースの正面図（横倒しとした状態、内ケースを回動させてある）。
【図２】内ケースの正面図。
【図３】内ケースにＵＭＤを挿し込もうとしている正面図。
【図４】内ケースにＵＮＤを収納した状態の正面図。
【図５】外ケースの斜視図。
【図６】蓋体の斜視図。
【図７】蓋体の開閉状態を示す正面図。
【図８】第２の実施例を説明するための概略正面図（横に倒してある）。
【図９】第２の実施例における外ケースの概略斜視図。
【図１０】外ケースの正面図（一部破断、第３の実施例）。
【符号の説明】
【００１７】
１  収納ケース
２  内ケース
３  外ケース
４  ＵＭＤ（面型メディア）
５  基板
６  保持板
７  軸支孔
８  収納部
９  挿し込み口
１０  ケース本体
１１  蓋体
１２  正面部
１３  背面部
１４  底面部
１５  右側面部
１６  隅部
１７  支持軸
１８  覆い部
１９  規制部
２０  位置決め辺
２１  止めバンド
２２  ホック
２３  フラッシュメモリカード
【図１】
2007022575.tif 000003
【図２】
2007022575.tif 000004
【図３】
2007022575.tif 000005
【図４】
2007022575.tif 000006
【図５】
2007022575.tif 000007
【図６】
2007022575.tif 000008
【図７】
2007022575.tif 000009
【図８】
2007022575.tif 000010
【図９】
2007022575.tif 000011
【図１０】
2007022575.tif 000012